(57)【特許請求の範囲】
【請求項１】
商品が掛けられる長手状の棒フック（１）と、
合成樹脂材により成形されて、前記棒フック（１）の後端部近傍にモールド被着され、所望の横桟部に係止される係止片（７）を有した係止部（２）と、
前記棒フック（１）の上側に沿って固定され、弾性を有した板状腕部（１１）の前端部に前記商品にかかる標示が設けられる標示体（１２）を下方に垂下した標示部（３）と、 前記標示部（３）の前記板状腕部（１１）の前端部の下面にて下向きに突設され、その下端が前記棒フック（１）の前端部に当接して前記板状腕部（１１）の前端部を上方に持ち上げる支持部（４）とを有し、
前記支持部（４）の下端には、前記棒フック（１）を挿入する凹部（４ａ）が設けられていることを特徴とする商品陳列用フック。
【請求項２】
前記支持部（４）は、その下端から上方に至り、前記棒フック（１）の前端部側および後端部側に斜め向きに立ち上がるガイド部（４ｂ）を有していることを特徴とする請求項１に記載の商品陳列用フック。
【請求項３】
前記標示部（３）は、その前記板状腕部（１１）の後端部に下向きに屈曲された固定片（１４）を有し、該固定片（１４）が前記係止部（２）の平坦状の上側に設けた固定溝（９）に挿通され、前記標示体（１２）が棒フック（１）の前端部の前側に覆い被さるようにして、前記標示部（３）が固定されていることを特徴とする請求項１又は２に記載の商品陳列用フック。
【請求項４】
前記係止部（２）には、前記棒フック（１）の後端部を一部表出させる切欠き部（１０）が設けられ、
前記切欠き部（１０）にて表出された前記棒フック（１）の部位には、バネ復元力を前記棒フック（１）の長手方向に沿うように前記棒フック（１）の長手方向に摺動可能に嵌挿されたバネ部材（５）の後端部が嵌着されていることを特徴とする請求項１〜３の何れかに記載の商品陳列用フック。
【発明の詳細な説明】
【０００１】
【発明の属する技術分野】
本発明は、前方に延設された棒フックに商品を掛けて陳列する商品陳列用フックに関するものである。
【０００２】
【従来の技術】
従来の商品陳列用フックは、商品を掛ける棒フックと、この棒フックを横バーなどに取り付ける係止部と、棒フックに掛けられた商品の商品名や金額などが記される標示部とからなる。棒フックは、金属製の丸棒体であり、前端部が斜め上向きに屈曲されている。係止部は、板金を下向き略コ字形に成形してなり、その上部に棒フックの後端部を溶接固定している。標示部は、弾性を有した板状腕部の前端部に、商品の商品名や金額などのカードが差込み取り付けられる標示体を下方に垂下し、後端部に固定部材を有している。標示体は、板状腕部の前端部が棒フックの前端部に当接して棒フックの前端部の前側に覆い被さる。固定部材は、係止部に溶接された棒フックの後端部、あるいは係止部の上部に固定し得る合成樹脂材などからなる掴持形状をなしている。
【０００３】
【発明が解決しようとする課題】
しかしながら、上述した従来の商品陳列用フックは、丸棒体である棒フックが係止部の上面に溶接されている。このため、丸棒体と面との溶接作業に手間がかかるとともに、溶接後の見栄えが損なわれるという問題がある。
【０００４】
また、従来の商品陳列用フックは、標示部を固定する固定部材が、係止部に溶接された棒フックの後端部、あるいは係止部の上部に固定する掴持形状である。このため、棒フックの後端部に固定する場合には、棒フックの溶接した部分を掴持するため固定が不安となるという問題がある。また、係止部の上部に固定する場合には、棒フックの後端部を避けて係止部を掴持するために形状が複雑になってコストがかかるという問題がある。
【０００５】
また、標示部は、商品の商品名や金額などを明確にするため、標示体をなるべく大きくしたい。ところが、標示体は、棒フックの前端部の前側に覆い被さるものであるため、大型であると商品の上側に大きく覆い被さるので、商品が隠されて見えなくなるという問題が生じる。
【０００６】
そこで本発明は、上記課題を解消するために、商品を掛ける棒フックを係止部に容易、且つ、見栄え良く固定する。また、標示部を簡素な構成にて安定して固定するとともに、標示体を大型化しても商品を隠すことがない商品陳列用フックを提供することを目的としている。
【０００７】
【課題を解決するための手段】
上記目的を達成するため、本発明による請求項１に記載の商品陳列用フックは、
商品が掛けられる長手状の棒フック（１）と、合成樹脂材により成形されて、前記棒フック（１）の後端部近傍にモールド被着され、所望の横桟部に係止される係止片（７）を有した係止部（２）と、前記棒フック（１）の上側に沿って固定され、弾性を有した板状腕部（１１）の前端部に前記商品にかかる標示が設けられる標示体（１２）を下方に垂下した標示部（３）と、前記標示部（３）の前記板状腕部（１１）の前端部の下面にて下向きに突設され、その下端が前記棒フック（１）の前端部に当接して前記板状腕部（１１）の前端部を上方に持ち上げる支持部（４）とを有している。しかして、前記支持部（４）の下端には、前記棒フック（１）を挿入する凹部（４ａ）が設けられている。
【０００８】
本発明では、前記支持部（４）は、その下端から上方に至り、前記棒フック（１）の前端部側および後端部側に斜め向きに立ち上がるガイド部（４ｂ）を有する構成とすることができる。
【０００９】
また、本発明では、前記標示部（３）は、その前記板状腕部（１１）の後端部に下向きに屈曲された固定片（１４）を有し、該固定片（１４）が前記係止部（２）の平坦状の上側に設けた固定溝（９）に挿通され、前記標示体（１２）が棒フック（１）の前端部の前側に覆い被さるようにして、前記標示部（３）が固定される構成とすることができる。
【００１０】
また、本発明では、前記係止部（２）には、前記棒フック（１）の後端部を一部表出させる切欠き部（１０）が設けられ、前記切欠き部（１０）にて表出された前記棒フック（１）の部位には、バネ復元力を前記棒フック（１）の長手方向に沿うように前記棒フック（１）の長手方向に摺動可能に嵌挿されたバネ部材（５）の後端部が嵌着された構成とすることができる。
【００１３】
【発明の実施の形態】
以下、本発明の実施の形態を図面を参照して具体的に説明する。
図１は本発明の商品陳列用フックを示す斜視図、図２は前記商品陳列用フックを示す側断面図、図３は前記商品陳列用フックの使用状態を示す側断面図である。
【００１４】
図１および図２に示すように、商品陳列用フックは、棒フック１と、係止部２と、標示部３と、支持部４と、バネ部材５からなる。
【００１５】
棒フック１は、長手状に形成された金属製の丸棒体であり、その前端部１ａが斜め上向きに屈曲されている。棒フック１の後端部１ｂの近傍には、プレス加工により潰された偏平部６が設けられている。
【００１６】
係止部２は、棒フック１の後端部１ｂに固定されている。係止部２は、合成樹脂材からなり、棒フック１の後端部１ｂの近傍にある偏平部６にモールド被着されている。このように、棒フック１は、偏平部６が係止部２に被着されているので、係止部２から外れることがなく、且つ、廻り止めされる。
【００１７】
係止部２は、その後側に係止片７を一体に有している。係止片７は、下方に延設された長尺片７ａと、長尺片７ａの後側にて長尺片７ａの上端から所定間隔をおいて下方に延設された短尺片７ｂとからなる。係止片７は、長尺片７ａと短尺片７ｂとの間で所望の横桟部８を掴持する。長尺片７ａは、その後側下端が横桟部８に当接して棒フック１を略水平状態にて支持する。本実施の形態での横桟部８は、例えばネットなどを構成する略水平な複数の線材である。即ち、係止片７は、長尺片７ａと短尺片７ｂとの間で線材の一つを掴持し、長尺片７ａの後側下端が下側にある他の線材に当接して棒フック１を略水平状態に支持する。このように、係止部２は、横桟部８に係止され、棒フック１を支持する。
【００１８】
なお、横桟部８は、上記線材に限らず、角パイプであってもよい。この場合の係止片７は、図示しないが長尺片７ａと短尺片７ｂとの間で角パイプを掴持し、長尺片７ａの後側下端が角パイプの前面に当接して棒フック１を略水平状態に支持することとなる。
【００１９】
また、係止部２は、平坦状に形成された上面に、横方向に延在する固定溝９を有している。
【００２０】
また、係止部２は、棒フック１の偏平部６を被着する部分と、係止片７を有した部分の間に、棒フック１の後端部１ｂを一部表出させる下向きの切欠き部１０を有している。
【００２１】
標示部３は、透明な合成樹脂材などからなる弾性を有した長手状の板状腕部１１を有している。板状腕部１１の前端部１１ａには、標示体１２が一体に設けられている。標示体１２は、板状腕部１１の前端部１１ａから下方に垂下し、且つ、その下端から上方に折り返し状にした二重構造をなしている。標示体１２は、二重とされた間に、商品の商品名や金額などの標示が記されたカード１３が差込み取り付けられる。標示体１２は、標示部３と一体に透明な合成樹脂材からなるので、カード１３に記された標示をその前面から見ることができる。
【００２２】
板状腕部１１の後端部１１ｂには、固定片１４が一体に設けられている。固定片１４は、板状腕部１１の後端部１１ｂから下向きに屈曲されている。この固定片１４は、係止部２の平坦状の上面に設けられた固定溝９に挿通して接着される。これにより、標示部３は、板状腕部１１が棒フック１上にて、棒フック１に沿って配され、板状腕部１１の前端部１１ａが自由端となって係止部２に固定される。この際、板状腕部１１の前端部１１ａにある標示体１２は、棒フック１の前端部１ａの前側に覆い被さるように配される。
【００２３】
支持部４は、板状腕部１１の前端部１１ａの下面に設けられている。支持部４は、板状腕部１１の下面にて下向きに突設されている。この支持部４の下端には、棒フック１を挿入させる凹部４ａが設けられている。この凹部４ａは、図１では支持部４の下端が切り欠かれて形成されているが、その他、支持部４の下端が一体に凹む構成としてもよい。また、凹部４ａの凹み深さは、図２に示すように棒フック１の一部（略上半部）が挿入するように形成する。
【００２４】
また、支持部４は、その下端から上方に至り、棒フック１の前端部１ａ側および後端部１ｂ側に斜め向きに立ち上がるガイド部４ｂを有している。本実施の形態でのガイド部４ｂは、支持部４を板体で構成し、この板体を側面視で略Ｕ字形あるいは略Ｖ字形にしてなる。なお、ガイド部４ｂは、支持部４を一塊で形成しても得られる。
【００２５】
標示部３は、支持部４の下端が棒フック１の前端部に当接することにより、板状腕部１１の前端部１１ａにある標示体１２を上方に持ち上げるようにして板状腕部１１が撓む。板状腕部１１は弾性を有しているので、支持部４の下端が常に棒フック１に当接しようとする。また、支持部４の下端の凹部４ａが棒フック１を挿入しているので、支持部４の棒フック１への当接が位置決めされる。
【００２６】
バネ部材５は、単位板状体１５を山折り部１５ａと谷折り部１５ｂで交互にして連続したジクザグ形状をなしている。バネ部材５は、合成樹脂材あるいはバネ鋼からなり、山折り部１５ａおよび谷折り部１５ｂが連なる方向にバネ復元力を有する。山折り部１５ａには、挿通切欠１６が設けられている、挿通切欠１６は、バネ部材５を棒フック１に沿って摺動させるように穿設された摺動部１６ａと、摺動部１６に棒フック１を通すための開口部１６ｂからなる。バネ部材５は、挿通切欠１６により棒フック１に摺動自在に挿通されて、棒フック１の長手方向にバネ復元力を生じさせる。バネ部材５の前端部には、前方に延設された押出部１７がある。また、バネ部材５の後端部には、挟持部１８がある。挟持部１８は、棒フック１を挟むようにして棒フック１に嵌着される。この挟持部１８は、係止部２の切欠き部１０に挿通されて切欠き部１０に表出する棒フック１の後端部１ｂに嵌着される。
【００２７】
上述の商品陳列用フックを使用する場合、図３に示すように、棒フック１に商品１９を掛ける。商品１９を棒フック１に掛ける際には、棒フック１の屈曲された前端部１ａに商品１９を挿通してそのまま押す。商品１９は、支持部４の前側のガイド部４ｂに当接し、標示部３の板状腕部１１の前端部１１ａを上側に押し上げながら棒フック１に掛けられる。支持部４は、商品１９を棒フック１に掛けた後、板状腕部１１の弾性力によって元に戻り、凹部４ａに棒フック１を挿入させて位置決めされる。
【００２８】
また、棒フック１に掛けられた商品１９は、バネ部材５をバネ復元力に抗して押し込む。これにより、商品１９は、常にバネ復元力で棒フック１の前端部１ａ側に押される。バネ部材５によって押された商品１９は、最前列が支持部４に当接して棒フック１の前端部１ａから抜け落ちないように支持される。
【００２９】
また、標示部３は、支持部４により標示体１２を上方に持ち上げるようにして位置決めされている。
【００３０】
そして、上記の状態において、商品１９を棒フック１から取り出すには、最前列にある商品１９を前側に引き出す。引き出される商品１９は、支持部４の後側のガイド部４ｂに当接し、標示部３の板状腕部１１の前端部１１ａを上側に押し上げながら棒フック１から外れる。その後、バネ部材５が商品１９を前側に押し出すことにより、新たに最前列となった商品１９が支持部４に当接して棒フック１の前端部１ａから抜け落ちないように支持される。
【００３１】
したがって、このように構成された商品陳列用フックでは、棒フック１の後端部１ｂに偏平部６を設け、この偏平部６に合成樹脂材からなる係止部２がモールド被着されている。ゆえに、棒フック１は、係止部２から外れず、且つ、廻り止めされる。この棒フック１への合成樹脂材のモールド被着は、自動化で大量生産が可能であるため、手間がかかることがない。また、棒フック１の後端部１ｂが合成樹脂材で覆われるので見栄えがよい。
【００３２】
また、上記商品陳列用フックは、標示部３が、板状腕部１１の後端部１１ｂに下向きに屈曲された固定片１４を有し、この固定片１４を係止部２の平坦状の上面に設けられた固定溝９に挿通して接着されている。これにより、固定溝９に固定片１４を挿通させる簡素な構成と、平坦状の上面に板状腕部１１を載せる安定した構成により、安価なコストで、標示部３を安定して固定することが可能となる。
【００３３】
さらに、標示部３は、板状腕部１１の前端部１１ａが、支持部４によって標示体１２を上方に持ち上げられている。これにより、商品の商品名や金額などを明確にするために標示体１２を大きしても、標示体１２が商品１９の上側に大きく覆い被さることがないので、商品１９を明確に陳列することが可能となる。
【００３４】
この支持部４は、棒フック１の前端部１ａに当接しているので、商品１９が棒フック１から抜けようとするのを防止している。特に、本実施の形態では、商品１９が後側からバネ部材５によって押し出されているので、支持部４は、バネ部材５の押し出しにより商品１９が棒フック１から抜けようとするのを適宜防止する。また、支持部４（標示体１２）は、支持部４の下端の凹部４ａによって左右に振れることなく棒フック１への当接が位置決めされる。さらに、支持部４は、その下端から上方に至り、棒フック１の前端部１ａ側および後端部１ｂ側に斜め向きに立ち上がるガイド部４ｂを有しているので、棒フック１に商品１９を掛ける際、および棒フック１から商品１９を取り出す際に邪魔にならない。なお、支持部４は、凹部４ａが棒フック１の一部（上半部）を挿入させる凹み深さであるため、棒フック１に商品１９を掛ける際、および棒フック１から商品１９を取り出す際の作業を阻害することなく、容易に棒フック１から外れたり、棒フック１に挿入することが可能となる。
【００３５】
また、上記商品陳列用フックは、バネ部材５により、常に最前列にある商品１９を棒フック１の前端部１ａに位置させ、商品１９の取り出しを良好にしている。このバネ部材５は、その後端部に設けた挟持部１８を、係止部２の切欠き部１０によって表出する棒フック１の後端部１ｂに嵌着させている。これにより、バネ部材５の後端部が切欠き部１０によって棒フック１の前端部１ａ側に移動することがないので、最後列の商品１９とともに棒フック１の前端部１ａから外れるおそれがない。
【００３６】
【発明の効果】
以上説明したように本発明による商品陳列用フックは、所望の横桟部に係止される係止部を合成樹脂材により形成し、商品が掛けられる長手状の棒フックの後端部近傍の偏平部にモールド被着している。これにより、棒フックが係止部から外れることなく、且つ、廻り止めされる。また、棒フックへの合成樹脂材のモールド被着は、自動化で大量生産が可能であるため、手間がかかることがない。また、棒フックの後端部が合成樹脂材で覆われるので見栄えがよい。
【００３７】
また、本発明の商品陳列用フックは、弾性を有した板状腕部の前端部に商品にかかる標示が記される標示体を下方に垂下し、板状腕部の後端部に下向きに屈曲された固定片を有した標示部を備えている。そして、係止部の平坦状の上側に設けた固定溝に固定片を挿通して接着し、標示体が棒フックの前端部の前側に覆い被さるように標示部を固定している。これにより、固定溝に固定片を挿通して接着させる簡素な構成と、平坦状の上面に板状腕部を載せる安定した構成により、安価なコストで、標示部を安定して固定することができる。
【００３８】
さらに、本発明の商品陳列用フックは、板状腕部の前端部の下面にて下向きに支持部を突設し、この支持部が棒フックの前端部に当接して板状腕部の前端部を上方に持ち上げるようにしている。これにより、商品の商品名や金額などを明確にするために標示体を大きしても、標示体が商品の上側に大きく覆い被さることがないので、商品を明確に陳列することができる。
【００３９】
また、本発明の商品陳列用フックは、支持部の下端に、棒フックを挿入する凹部を設けた。これにより、支持部（標示体）が左右に振れることなく位置決めされる。
【００４０】
また、本発明の商品陳列用フックは、支持部の下端から上方に至り、棒フックの前端部側および後端部側に斜め向きに立ち上がるガイド部を設けた。棒フックに商品を掛ける際、および棒フックから商品を取り出す際、板状腕部の前端部とともに上側に押し上げられるので邪魔になることがない。
【００４１】
またさらに、本発明の商品陳列用フックは、係止部に、棒フックの後端部を一部表出させる切欠き部を設けている、そして、切欠き部にて表出された棒フックの部位に、バネ部材の後端部を嵌着した。これにより、バネ部材が常に最前列にある商品を棒フックの前端部に位置させて商品の取り出しを良好にことができる。
また、バネ部材の後端部が切欠き部によって棒フックの前端部側に移動することがないので、最後列の商品とともに棒フックの前端部から外れるおそれがない。
【００４２】
また、バネ部材を設けた構成において、上述した支持部は、棒フックの前端部に当接しているので、バネ部材の押し出しにより商品が棒フックから抜けようとするのを適宜防止ことができる。
【図面の簡単な説明】
【図１】本発明の商品陳列用フックを示す斜視図。
【図２】前記商品陳列用フックを示す側断面図。
【図３】前記商品陳列用フックの使用状態を示す側断面図。
【符号の説明】
１…棒フック、１ａ…前端部、１ｂ…後端部、２…係止部、３…標示部、４…支持部、４ａ…凹部、４ｂ…ガイド部、５…バネ部材、６…偏平部、７…係止片、７ａ…長尺片、７ｂ…短尺片、８…横桟部、９…固定溝、１０…切欠き部、１１…板状腕部、１１ａ…前端部、１１ｂ…後端部、１２…標示体、１３…カード、１４…固定片、１５…単位板状体、１５ａ…山折り部、１５ｂ…谷折り部、１６…挿通切欠、１６ａ…摺動部、１６ｂ…開口部、１７…押出部、１８…挟持部、１９…商品。
【図１】
0003670579.tif 000002
【図２】
0003670579.tif 000003
【図３】
0003670579.tif 000004